(57)【特許請求の範囲】
【請求項１】
防水性材料により形成されたバッグ本体部とこのバッグ本体部の開口部を開閉する蓋部とによって構成され、
前記バッグ本体部の内部スペースに、有底の３つの収納ボックスを着脱自在に収納することで、３つの収納スペースを画成可能にし、
前記収納ボックスによって画成される３つの収納スペースは、大型及び中型工具を収納するための大・中型工具スペース、紙面類を収納するための紙面スペース、及び小型工具及びその他の道具を収納するための小型工具・フリースペースであり、
前記小型工具・フリースペースを画成する収納ボックスには、小型工具を収納するための少なくとも１つの有底筒状の小型工具用ポケットが着脱自在に装着されることを特徴とする現場操作用バッグ。
【請求項２】
前記紙面スペースは、前記大・中型工具スペースと前記小型工具・フリースペースとの間に配置されることを特徴とする請求項１記載の現場操作用バッグ。
【請求項３】
前記小型工具用ポケットの底部は、前記小型工具・フリースペースを画成する収納ボックスの底部より高い位置にあることを特徴とする請求項１又は２記載の現場操作用バッグ。
【発明の詳細な説明】
【技術分野】
【０００１】
現場での作業等の現場操作時において必要となる、ウィルキー（小、中、大）、浸透液、紙面類（作業票、補助標識、系統図、操作要領書）、ウェス等の道具類一式を収容し、運搬することが可能な現場操作用バッグに関する。
【背景技術】
【０００２】
通常、現場での作業等の現場操作時には、ウィルキー（小、中、大）、浸透液、紙面類（作業票、補助標識、系統図、操作要領書）、ウェス等の様々な道具類が必要となるが、これら道具類を運搬する専用のバッグがないため、従来においては、これらを束ねて両手で抱えたり、ポケットに入れたりして運搬するようにしていた。このため、階段昇降時や狭い通路を通行する際に、道具類が引っ掛かってこれらを落下させてしまうことがあり、安全面で好ましい状態ではなかった。しかも、入り組んだ現場での作業にあっては、道具類を使用した後に一部の道具類を置き忘れてしまうという不都合がある。
【０００３】
また、雨天時の道具類の運搬にあっては、これら道具類が濡れてしまい、特に紙面類にあっては、濡れてしまうと、記入がしにくくなり、また、破れ易くなる。  
さらに、従来においては、分別して運搬しているわけではなかったので、運搬した道具類の中から必要な道具類を取り出すのに時間がかかるものであった。
このため、上述した道具類一式を分別すると共にまとめて運搬することができる収容具の開発が望まれていた。
【０００４】
道具類を収納する収容具としては、従来、例えば、下記する特許文献１乃至３に示されるものが知られている。
このうち、特許文献１は、各種の電動工具の収納に用いられる工具箱に関するもので、上側が開口して内部が収納部に形成された容器体と、この容器体の開口を開閉可能とする蓋体とから構成し、容器体内に容器体の内壁部に沿って仕切壁体を形成して電動工具の付属品を収納可能とする小物収納部を設けたものである。
【０００５】
また、特許文献２は、配線器具、補修・結束具、釘、ネジ類などの工事に必要な各種物品や、ドライバー、スパナ、ペンチ、ナイフなどの作業工具類を収納する道具入れに関するもので、有底筒状体の内周面に側周板を配し、その側周板の内周面に間仕切りを着脱自在として配することにより、有底筒状体の内部の収納部を複数に可変分割できるようにしたものである。
【０００６】
さらに、特許文献３は、日常のビジネスに必要なメモ用紙、筆記具、パソコン等を収納して持ち歩くバッグに関するもので、バッグ本体の厚さ方向内側部に、バッグ本体に固定されて複数のポケット部を有するオーガナイザー部と、このオーガナイザー部を開閉可能に被覆すると共に主収納部との間を仕切る被覆パネルを設けたものである。
【先行技術文献】
【特許文献】
【０００７】
【特許文献１】特開２００４−２１６４７４号公報
【特許文献２】特開２００９−８２６４０号公報
【特許文献３】実用新案登録第３１４０４８２号公報
【発明の概要】
【発明が解決しようとする課題】
【０００８】
しかしながら、いずれの収容具も現場での作業時に必要となる道具類一式を分別して収納した上で、分別した収納部分の単位で着脱させることができないものであるため、現場での操作を効率よく行うことができない不都合があった。
【０００９】
例えば、現場の狭所での作業においては、現場にバッグを置き、そこを拠点にして必要な道具類だけを狭所へ持ち運んで作業を行いたい場合もあるが、従来の収納具にあっては、分別した単位で収納部分を取り外して持ち運ぶことができないものであるため、効率的な作業を行うことができず、必要工具を手に抱えて狭所へ持ち運ばなければならず、道具類を紛失させ、また、落下させる危険を伴うものであった。
また、小型工具にあっては、分別して収納したとしても、収納工具が多くなると、収納部分の底に入り込んで取り出しにくくなる不都合もある。
【００１０】
本発明は、係る事情に鑑みてなされたものであり、現場で必要となる道具類一式を分別して収納し、まとめて運搬することで、道具類を安全に運搬することを可能にすると共に、道具類を使用した後に現場への道具類の置き忘れを解消する
ことができ、また、雨天時でも道具類が濡れることなく運搬でき、さらには、現場での効率的な作業を行うことが可能な現場操作用バッグを提供することを主たる課題としている。また、小型工具にあっては、取り出し易くすることで、作業効率を一層高めることをも課題としている。
【課題を解決するための手段】
【００１１】
上記課題を達成するために、本発明に係る現場操作用バッグは、防水性材料により形成されたバッグ本体部とこのバッグ本体部の開口部を開閉する蓋部とによって構成され、前記バッグ本体部の内部スペースに、有底の３つの収納ボックスを着脱自在に収納することで、３つの収納スペースを画成可能にする。
【００１２】
ここで、３つの収納ボックスによって画成される３つの収納スペースは、大型及び中型工具を収納するための大・中型工具スペース、紙面類を収納するための紙面スペース、及び小型工具及びその他の道具を収納するための小型工具・フリースペースにするとよい。
【００１３】
したがって、防水性の素材によってバッグ本体部及び蓋部が形成され、バッグ本体部の内部に３つの収納ボックスを収納して３つの収納スペースを画成可能としたので、現場で必要となる道具類一式を分別してそれぞれの収納スペースに収容することができ、道具類を整理して利用し易くすることが可能となる。また、それぞれの収納ボックスを着脱自在としているので、必要に応じて収納ボックス単位で取り出すことが可能となり、現場まで現場操作用バッグを運んだ後に、このバッグを拠点として、必要な収納ボックスだけを狭所へ運んで作業を行うことが可能となる。さらに、バッグ本体部及び蓋部が防水性素材により形成されているので、雨天時でも収納物が濡れないようにすることが可能となる。
【００１４】
特に、前記紙面スペースを、大・中型工具スペースと小型工具・フリースペースとの間に配置するようにすることで、紙面類を一層濡れにくくすることが可能となり、また、内部スペースの両側に重いものを配置することで、バッグの片側に重い物が偏る不都合がなくなり、バッグの重量バランスをとることが可能となる。
【００１５】
さらに、前記小型工具・フリースペースを画成する収納ボックスに、小型工具を収納するための少なくとも１つの有底筒状の小型工具用ポケットを着脱自在に装着するとよい。
【００１６】
小型工具用ポケットを設けることによって、小型ウィルキー、モンキーレンチ、パイプレンチ等の小型工具を立てて収納することができ、小型工具が小型工具・フリースペースの底に入り込んで取り出しにくくなる不都合がなくなる。また、必要に応じて、小型工具用ポケットを取り外すことで、その中の工具を取り出すことや、ポケット毎持ち運ぶことも可能となる。
【００１７】
尚、小型工具用ポケットの底部は、小型工具・フリースペースを画成する収納ボックスの底部（バッグの底部）より高い位置にあることが小型工具を取り出し易くする上で望ましい。
【発明の効果】
【００１８】
以上のように、本願発明の現場操作用バッグによれば、防水性素材によってバッグ本端部と蓋部とを形成し、バッグ本体部の内部スペースに、有底の３つの収納ボックスを着脱自在に収納して、３つの収納スペースを画成可能としたので、以下の諸効果を奏する。
・    現場で必要となる道具類一式（ウィルキー、浸透液、紙面類（作業表、補助標識、系統図、操作要領書）、ウェス、小型工具等）をまとめてバッグに収納した上で現場に運搬することができ、道具類を安全に現場に運搬することが可能となる。
・    現場で必要となる道具類一式を分別して収納スペースに収容することが可能となり、道具類が取り出し易くなると共に道具類を整理して管理できるので、作業効率を高めることが可能になると共に道具類の置き忘れを防止することが可能となる。
・    それぞれの収納ボックスを着脱自在としているので、必要に応じて収納ボックス単位で取り出すことが可能となり、現場において、現場操作用バッグを拠点として、必要な収納ボックスだけを狭所へ持ち運んで作業を行うことが可能となり、作業効率を高めることが可能となる。
・    バッグ本体部及び蓋部が防水性素材によって形成されているので、雨天時でも収納物が濡れないようにすることが可能となる。
【００１９】
また、紙面スペースを、大・中型工具スペースと小型工具・フリースペースとの間に配置することで、紙面類が濡れることをより確実に防ぐことができると共に、現場操作用バッグの片側に重量物が偏ることがなくなり、バッグ内に収容される収容物の重量のバランスがとれて、バッグを持ち運びやすくすることが可能となる。
【００２０】
さらに、小型工具・フリースペースを画成する収納ボックスに、小型工具を収納するための小型工具用ポケットを着脱自在に装着することで、小型工具が小型工具・フリースペース内でばらばらになり、底に入り込んで取り出しにくくなる不都合を回避することが可能となる。また、このような構成において、小型工具用ポケットの底部を小型工具・フリースペースを画成する収納ボックスの底部よりも高くしておくことで、小型工具の取り出しを一層容易に行うことが可能となる。
【図面の簡単な説明】
【００２１】
【図１】図１は、本発明に係る現場操作用バッグの全体側面図である。
【図２】図２は、本発明に係る現場操作用バッグの蓋部を開いた状態を示した平面説明図である。
【図３】図３は、本発明に係る現場操作用バッグの蓋部を開いて、内部に収容される収納ボックスと小型工具用ポケットとを取り外した状態を示す斜視図である。
【発明を実施するための形態】
【００２２】
以下、この発明の実施の形態について図面を参照しながら説明する。
【００２３】
本発明の現場操作用バッグ１は、図１乃至図３に示すように、耐荷重の大きな防水性材料からなるバッグ本体部２と蓋部３とによって構成されている。
【００２４】
バッグ本体部２は、上面が開口された有底のもので、内部には、断面が矩形状に形成された略直方体形状の内部スペース１０が形成されている。蓋部３は、バッグ本体部２の開口端形状に合わせて矩形状に形成され、バッグ本体部２と、一部分（この例では、短手方向の一辺）がヒンジ状の接続部４によって固定されている。したがって、接続部４を支点として蓋部３を回動させることで現場操作用バッグ１を開閉できるようにしている。
【００２５】
また、蓋部３及びバッグ本体部２の周縁にはファスナ５が設けられ、蓋部３をバッグ本体部２にファスナ５を介して固定できるようにしている。即ち、ファスナ５のスライダ５１を移動させて蓋部３の周縁のエレメント５２ａとバッグ本体部２の周縁のエレメント５２ｂを離すことで、蓋部３を開けることができ、また、スライダ５１を移動させて蓋部３及びバッグ本体部２のそれぞれのエレメント５２ａ，５２ｂを噛合させることで、蓋部３を閉じてバッグ本体部２にファスナ５を介して固定できるようにしている。
【００２６】
また、バッグ本体部２の長手方向に沿った両側面のそれぞれには、現場操作用バッグ１を提げるための持ち紐部６が設けられる。この持ち紐部６にはかなりの荷重がかかるため、所定の強度を持たせておくことが必要であり、また、バッグ本体部２にしっかり固定することが望ましいため、この例では、バッグ本体部２の側面に補強部７を設け、この補強部７を介して持ち紐部６を強固に取り付けている。
【００２７】
蓋部３を開けた現場操作用バッグ１は、図２及び図３に示すように、バッグ本体部２の内部スペース１０に３つの収納ボックス１１，１３，１５を並設して収容し、それぞれの収納ボックス１１，１３，１５によって、大・中型工具スペース１２、紙面スペース１４、及び小型工具及びフリースペース１６を画成するようにしている。
【００２８】
それぞれの収納ボックス１１，１３，１５は、樹脂材によって上面が開口された有底の直方体形状に形成され、高さがバッグ本体部２の内部スペース１０の高さに略等しく形成されている。また、長手方向の長さが、内部スペース１０の長手方向の長さにほぼ等しく形成され、短手方向の長さが、内部スペース１０の短手方向の長さの略１／３に形成されている。
【００２９】
したがって、３つの収納ボックス１１，１３，１５は、長手方向の側面同士を合わせるように並設した状態でバッグ本体部２の内部スペース１０にほぼ隙間なく収容されるようになっている。尚、収納ボックス１１，１３，１５は、バッグ本体部２の内部スペース１０に丁度入る大きさに形成されているので、隣り合う収納ボックスを連結させる機構を格別に必要としないが、隣り合う収納ボックスを連結させる手段を設けるようにしてもよい。
【００３０】
大・中型工具スペース１２は、例えば大型ウィルキー、中型ウィルキー、大型モンキーレンチ、大型パイプレンチ、ハンマー等の大型工具（特殊工具）を収納するために用いられ、また、紙面スペース１４は、作業票、系統図、要領書、補助標識、操作禁止札等をバインダーごと収納するために用いられる。さらに、小型工具及びフリースペース１６は、小型工具及びその他の道具を収納するために用いられる。
【００３１】
この例では、紙面スペース１４が、大・中型工具スペース１２と小型工具・フリースペース１６との間に配置されており、それぞれのスペースは、ほぼ同じ大きさに形成されている。
また、小型工具及びフリースペース１６を画成する収納ボックス１５に、有底筒状の樹脂材で形成された小型工具用ポケット１７を装着し、この小型工具用ポケット１７の中に、小型ウィルキー、小型モンキーレンチ、小型パイプレンチ、ドライバー等を立てて収納するようにしており、この小型工具用ポケット１７に収納できなかったウェス、浸透液、懐中電灯等の道具を小型工具及びフリースペース１６の空いている箇所へ収納するようにしている。
【００３２】
小型工具用ポケット１７は、この例では２つ設けられており、断面略八角形の有底筒状に形状されており、その開口縁の一辺に、連結用引掛部１８を設けて、収納ボックス１５の開口縁や他の小型工具用ポケット１７の開口縁に係止させるようにしている。
【００３３】
この小型工具用ポケット１７は、その底部１７ａが収納ボックス１１，１３，１５の底部１５ａよりも高い位置に形成されており、また、８枚の側面を連続的に繋ぎ合わせて断面が八角形となるように形成されており、収納ボックス１１，１３，１５の長手方向に対して垂直となる一対の面と、収納ボックス１１，１３，１５の短手方向に対して垂直となる一対の面が形成されるようになっている。このため、小型工具用ポケット１７は、収納ボックス１５内で面接触するように保持されるので、がたつくことが防止され、また、断面が方形である場合と比べて、収納ボックス１５内に入れ易く、且つ、取り出し易くなっている。
【００３４】
以上の構成により、現場操作用バッグ１は、耐荷重の大きな防水性材料が使用されているので、大・中型工具等により重たくなった現場操作用バッグ１を安定して運搬することができるようになり、また雨天時においても内部に収納した紙面類や道具が濡れることがなくなる。
【００３５】
また、現場操作又は作業に必要な道具一式をまとめてバッグに収納した上で現場に運搬することができるので、安全に現場まで道具一式を運搬することが可能となり、また、現場で必要となる道具類一式を分別して収納スペース（大・中型工具スペース１２、紙面スペース１４、小型工具及びフリースペース１６）に収容できるので、道具類が取り出し易くなると共に道具類を整理して管理し易くなり、作業効率を高めることが可能になると共に作業完了後に道具を現場に置き忘れる不都合がなくなる。
【００３６】
特に、３個の収納ボックス１１，１３，１５が着脱自在にバッグ本体部２の内部スペース１０に収納されているため、現場操作用バッグ１を現場に持ち運んだ後に、現場操作用バッグ１を拠点にして、必要となる収納ボックス１１，１３，１５を単体で狭所へ持ち運ぶことも可能となる。このため、現場での作業を一層効率的に行うことが可能となる。
【００３７】
また、紙面スペース１４は、大・中型工具スペース１２と小型工具・フリースペース１６との間に配置されているので、紙面類が濡れることをより確実に防ぐことが可能になると共に、現場操作用バッグ１の片側に重量物が偏ることがなくなり、バッグ内に収容される収容物の重量バランスがとれて、バッグを持ち運びやすくすることが可能となる。
【００３８】
さらに、小型工具・フリースペース１６には、小型工具用ポケット１７が着脱自在に配されているので、小型工具が小型工具・フリースペース１６内でばらばらとなり、小型工具・フリースペース１６の底に入り込んで取り出しにくくなることを防ぐことが可能となる。また、小型工具用ポケット１７の底部１７ａは、小型工具・フリースペース１６を画成する収納ボックス１５の底部１５ａよりも高く設定されているので、小型工具の取り出しを一層容易に行うことが可能となる。
【００３９】
尚、上述の構成例においては、３つの収納ボックス１１，１３，１５をバッグ本体部２の内部スペース１０に収納して３つの収納スペース（大・中型工具スペース１２、紙面スペース１４、小型工具及びフリースペース１６）を形成した例について説明したが、収納物によっては、内部スペース１０に収納される収納ボックスを１つ又は２つとして余ったスペースを適宜利用するようにしてもよい。
【００４０】
また、上述の構成においては、３つの収納スペース（大・中型工具スペース１２、紙面スペース１４、小型工具及びフリースペース１６）をほぼ同じ大きさに形成するようにしたが、短手方向の長さを適宜変更してそれぞれのスペースの比率を変更するようにしてもよい。
【符号の説明】
【００４１】
１  現場操作用バッグ
２  バッグ本体部
３  蓋部
４  接続部
５  ファスナ
６  持ち紐部
７  補強部
１０  内部スペース
１１，１３，１５  収納ボックス
１２  大・中型工具スペース
１３  紙面スペース
１４  小型工具及びフリースペース
１５ａ  底部
１７  小型工具用ポケット
１７ａ  底部
５１  スライダ
５２ａ，５２ｂ  エレメント
【図１】
0005300808.tif 000002
【図２】
0005300808.tif 000003
【図３】
0005300808.tif 000004